(57)【要約】      （修正有）【課題】３相電流分野または電気自動車分野向けの高電力電気コネクタ用の高電流または電力コンタクトデバイスに関し、高価な被覆なしで接続サイクル規格を実現する。【解決手段】高電力電気コンタクトデバイス（１０）は、接触区間（１１０）および接続区間（１２０）を備え、接触区間（１１０）は、高電力電気コンタクトデバイス（１０）の第１の高電力電気コンタクト装置（１１０）として構成され、接続区間（１２０）は、第２の高電力電気コンタクト装置（１２０）として構成される。さらに、高電力電気コネクタ（１）用の交換可能な高電力電気コンタクトモジュール（２）に関し、少なくとも１つの接触区間レセプタクル（２０１、２１１）を有するインサートハウジング（２０）を備え、接触区間レセプタクル（２０１、２１１）内には、高電力電気コンタクトデバイス（１０）の高電力電気コンタクト装置（１１０）が設けられる。【選択図】図１
2017174815.tif 000002
【特許請求の範囲】
【請求項１】
好ましくは３相電流分野または電気自動車分野向けの高電力電気コネクタ（１）用の高電力電気コンタクトデバイス（１０）、特に電気高電流コンタクトデバイス（１０）または電力コンタクトデバイス（１０）であって、
高電力電気接触区間（１１０）および高電力電気接続区間（１２０）を備えるコンタクトデバイス（１０）において、
前記接触区間（１１０）は、前記コンタクトデバイス（１０）の第１の高電力電気コンタクト装置（１１０）として構成され、前記接続区間（１２０）は、第２の高電力電気コンタクト装置（１２０）として構成されることを特徴とする高電力電気コンタクトデバイス（１０）。
【請求項２】
前記コンタクトデバイス（１０）もしくは前記第１のコンタクト装置（１１０）は、交換可能な高電力電気コンタクトモジュール（２）用に構成され、
個々のコンタクトデバイス（１０）について前記２つのコンタクト装置（１１０、１２０）は、互いに別個に構成され、
互いに分離することができる前記２つのコンタクト装置（１１０、１２０）は、前記２つのコンタクト装置（１１０、１２０）を互いに電気的に切断することができる高電力電気接触領域（１５）を備え、
互いに分離することができる前記２つのコンタクト装置（１１０、１２０）は、前記２つのコンタクト装置（１１０、１２０）を互いに機械的に切断することができる機械的接触領域（１５）を備え、
前記コンタクトデバイス（１０）は、少なくとも２つの部分で構成され、かつ／または
前記コンタクト装置（１１０、１２０）は、ワンピースでコンタクトデバイス（１０）としてともに保持される
ことを特徴とする、請求項１に記載の高電力電気コンタクトデバイス（１０）。
【請求項３】
前記第１のコンタクト装置（１１０）および前記第２のコンタクト装置（１２０）は、単一の解放可能な接続（１５）によって互いに電気機械的に結合され、かつ／または
前記電気機械的接続（１５）は、ポジティブおよび／もしくは非ポジティブ接続（１５）として構成され、前記接続（１５）は、好ましくは、プラグ接続（１５）、ねじ接続（１５）、ラッチ接続、もしくはスナップアクション接続として構成されることを特徴とする、請求項１または２に記載の高電力電気コンタクトデバイス（１０）。
【請求項４】
前記第１のコンタクト装置（１１０）は、コンタクト装置取付け区間（１１１）を有し、前記第２のコンタクト装置（１２０）は、前記コンタクト装置取付け区間（１１１）上／内に取付け可能でありもしくは取り付けられており、
前記第２のコンタクト装置（１２０）は、コンタクト装置取付け区間（１２１）を有し、前記第１のコンタクト装置（１１０）は、前記コンタクト装置取付け区間（１２１）上／内に取付け可能でありもしくは取り付けられており、
前記コンタクト装置取付け区間（１１１、１２１）は、相補的な形状および／または相補的な機能を部分的に有するように構成され、
前記第１のコンタクト装置（１１０）は、ハウジング取付け区間（１１２）を有し、前記第１のコンタクト装置（１１０）は、前記ハウジング取付け区間（１１２）によって、接触区間レセプタクル（２０１）上／内に間接もしくは直接に取付け可能でありもしくは取り付けられており、かつ／または
前記第２のコンタクト装置（１２０）は、ハウジング取付け区間（１２２）を有し、前記第２のコンタクト装置（１２０）は、前記ハウジング取付け区間（１２２）によって、コネクタハウジング（３）上／内に間接もしくは直接に取付け可能でありもしくは取り付けられている
ことを特徴とする、請求項１から３のいずれか一項に記載の高電力電気コンタクトデバイス（１０）。
【請求項５】
前記第１のコンタクト装置（１１０）の前記コンタクト装置取付け区間（１１１）は、コンタクトばねリング（１１１）もしくはコンタクトピンを備え、前記第２のコンタクト装置（１２０）の前記コンタクト装置取付け区間（１２１）は、コンタクトピン（１２１）もしくはコンタクトばねリングを備え、または
前記第１のコンタクト装置（１１０）の前記コンタクト装置取付け区間（１１１）は、めねじ（１１１）もしくはおねじを備え、前記第２のコンタクト装置（１２０）の前記コンタクト装置取付け区間（１２１）は、おねじ（１２１）もしくはめねじを備えることを特徴とする、請求項１から４のいずれか一項に記載の高電力電気コンタクトデバイス（１０）。
【請求項６】
前記第１のコンタクト装置（１１０）および／もしくは前記第２のコンタクト装置（１２０）は、材料面ではワンピースもしくは一体の構成であり、
前記第１のコンタクト装置（１１０）および／もしくは前記第２のコンタクト装置（１２０）は、被覆されておらず、
前記第１のコンタクト装置（１１０）および／もしくは前記第２のコンタクト装置（１２０）は、銅合金、特に真鍮から構成され、
前記第２のコンタクト装置（１２０）の前記ハウジング取付け区間（１２２）は、封止台座（１２２）として構成され、
前記コンタクトデバイス（１０）は、サブアセンブリ（１０）として構成することができかつ／もしくは構成されており、
前記サブアセンブリ（１０）は、コンタクトデバイスシール（１３０）を有し、ならびに／または
前記コンタクトデバイスシール（１３０）は、前記ハウジング取付け区間（１２２）上に取付け可能でありもしくは取り付けられている
ことを特徴とする、請求項１から５のいずれか一項に記載の高電力電気コンタクトデバイス（１０）。
【請求項７】
たとえば３相電流分野または電気自動車分野向けの高電力電気コネクタ（１）用の交換可能な高電力電気コンタクトモジュール（２）、特に交換可能な電気高電流コンタクトモジュール（２）または交換可能な電力コンタクトモジュール（２）において、
前記コンタクトモジュール（２）は、少なくとも１つの接触区間レセプタクル（２０１、２１１）を有するインサートハウジング（２０）を備え、前記接触区間レセプタクル（２０１、２１１）上／内には、高電力電気コンタクトデバイス（１０）の高電力電気コンタクト装置（１１０）が設けられることを特徴とする交換可能な高電力電気コンタクトモジュール（２）。
【請求項８】
前記インサートハウジング（２０）は、複数の接触区間レセプタクル（２０１）を有するベースプレート（２００）を備え、前記複数の接触区間レセプタクル（２０１）を通って、複数のコンタクト装置（１１０）が挿入され、
少なくとも前記ベースプレート（２００）は、前記コンタクトモジュール（２）の前記インサートハウジング（２０）を構成し、前記インサートハウジング（２０）は実質上、ディスク（２００）または開かれたケージ、開かれたタブまたは容器（２０）の形状であることを特徴とする、請求項７に記載の交換可能な高電力電気コンタクトモジュール（２）。
【請求項９】
複数の保護スリーブ（２１０）が、前記ベースプレート（２００）から離れて延び、前記複数の保護スリーブ（２１０）のそれぞれの中に、接触区間レセプタクル（２１１）が設けられ、
前記コンタクト装置（１１０）は、前記保護スリーブ（２１０）の前記接触区間レセプタクル（２１１）内に受け取られ、
前記ベースプレート（２００）は、前記保護スリーブ（２１０）と材料面ではワンピースもしくは一体の構成であり、
前記インサートハウジング（２０）は、材料面ではワンピースもしくは一体の構成であり、
前記インサートハウジング（２０）は、コネクタハウジング（３）とラッチするラッチデバイスもしくはラッチ装置を有し、かつ／または
前記コンタクトモジュール（２）は、請求項１から８のいずれか一項に記載のコンタクトデバイス（１０）もしくは第１のコンタクト装置（１１０）を有する
ことを特徴とする、請求項７または８に記載の交換可能な高電力電気コンタクトモジュール（２）。
【請求項１０】
たとえば３相電流分野または電気自動車分野向けの高電力電気コネクタ（１）または高電力電気相手側コネクタ（１）、特に電気高電流コネクタ（１）または電力コネクタ（１）であって、コネクタハウジング（３）を有する高電力電気コネクタ（１）または高電力電気相手側コネクタ（１）において、
前記コネクタハウジング（３）は、少なくとも１つの接触区間レセプタクル（３０１）を有し、前記接触区間レセプタクル（３０１）内には、高電力電気コンタクトデバイス（１０）の高電力電気コンタクト装置（１２０）が設けられることを特徴とする高電力電気コネクタ（１）または高電力電気相手側コネクタ（１）。
【請求項１１】
前記高電力電気コンタクトデバイス（１０）は、請求項１から１０のいずれか一項に記載のように構成され、かつ／または前記コネクタ（１）もしくは前記相手側コネクタ（１）は、請求項７から１０のいずれか一項に記載のように構成された交換可能な高電力電気コンタクトモジュール（２）を有する
ことを特徴とする、請求項１０に記載の高電力電気コネクタ（１）または高電力電気相手側コネクタ（１）。
【請求項１２】
前記コネクタ（１）もしくは前記相手側コネクタ（１）は、プラグ（１）、カップリング（１）、プラグソケット、内蔵コネクタ、３相電流コネクタ（１）、もしくは充電コネクタ（１）として構成され、
前記コネクタハウジング（３）は、前記コンタクトモジュール（２）のインサートハウジング（２０）とラッチするラッチデバイスもしくはラッチ装置を有し、かつ／または
前記コネクタ（１）もしくは前記相手側コネクタ（１）は、前記コンタクトモジュール（２）の前記コンタクトデバイス（１０）もしくはコンタクトデバイス（１０）を固定するコンタクト固定デバイスを有する
ことを特徴とする、請求項１０または１１に記載の高電力電気コネクタ（１）または高電力電気相手側コネクタ（１）。
【発明の詳細な説明】
【技術分野】
【０００１】
本発明は、高電力電気コネクタ用の高電力電気コンタクトデバイス、特に電気高電流コンタクトデバイスまたは電力コンタクトデバイスに関する。本発明はさらに、高電力電気コネクタ用の交換可能な高電力電気コンタクトモジュール、特に交換可能な電気高電流コンタクトモジュールまたは交換可能な電力コンタクトモジュールに関する。本発明はさらに、たとえば３相電流分野または電気自動車分野向けの高電力電気コネクタまたは高電力電気相手側コネクタ、特に電気高電流コネクタまたは電力コネクタに関する。
【背景技術】
【０００２】
電気分野（電気工学、電気学、電力工学など）では、広範囲の電流、電圧、および／または周波数で電流、電圧、および／または信号を伝送するという目的を果たす多数の電気コネクタ装置もしくはコネクタデバイス、ソケット、および／またはピンコネクタなど（以下、（（高電力）電気）（相手側）コネクタと呼ぶ）が知られている。低電圧、中電圧、もしくは高電圧の範囲、および／または中電流もしくは高電流の範囲、特に３相電流分野では、この種のコネクタは、温かい、場合により高温の、汚染された、湿気の多い、かつ／または化学的にアグレッシブな環境で、恒久的に、繰返し、かつ／または比較的長いサービス寿命後に、場合により即座に、電流、電圧、および／または信号の伝送を確実にしなければならない。
【０００３】
適用分野が広範囲であるため、多数の特殊設計のコネクタが知られている。この種のコネクタまたはこの種のコネクタのハウジングは、電気ケーブル、ラインなど、および／または電気デバイスもしくは装置上に設置することができ、たとえばこの種の（高電力）電気構成要素またはデバイス、アセンブリなどのハウジング上／内に設置することができる。後者の場合、コネクタは、（相手側）コネクタデバイスと呼ばれることが多い。コネクタがケーブル上などにのみ位置する場合、前記コネクタは通常、（フライング）（プラグ）コネクタもしくはプラグ（通常はピンコンタクトデバイスを有する）、またはカップリング（通常はソケットコンタクトデバイスを有する）と呼ばれ、前記コネクタが（高電力）電気構成要素上／内に位置する場合、これは通常、（内蔵）プラグまたは（内蔵）ソケットなどの（内蔵）コネクタと呼ばれる。
【０００４】
高電力電気コネクタは、問題のない電力の伝送を確実にしなければならず、互いに対応するコネクタ（コネクタおよび相手側コネクタ）は通常、コネクタを相手側コネクタへ／相手側コネクタ内に恒久的であるが概して解放可能に締結またはロックする締結またはロックデバイスを有する。さらに、対応する高電力電気コンタクトデバイス、たとえばソケットコンタクトデバイス、ピンコンタクトデバイス、タブコンタクトデバイスなどは、前記コネクタ内にしっかりと収容されなければならない。高電力電気コネクタを改善し、かつ／または前記高電力電気コネクタをより費用効果の高いものにするための取組みが、継続してなされている。
【０００５】
例として、電気自動車用の充電コネクタは、約−３０℃〜約＋５０℃の外気温度および約５００Ｖのピーク電圧で約３２Ａの電流を輸送しなければならない高電力電気コンタクトデバイス（電力コンタクトデバイス、接地コンタクトデバイス）を必要とする。信号コンタクトデバイスは、３０Ｖの電圧で約２Ａの電流を有する。この種の充電コネクタのサービス寿命は、ほぼまたは少なくとも１０〜１５年とするべきであり、環境（湿気、砂、塩など）に応じて、この種の充電コネクタとの１０，０００〜２０，０００回のプラグ接続サイクルを実施することが可能であるべきであり、恒久的に低い接触抵抗も実現されることが好ましい。比較的低い接触抵抗でそのような回数のプラグ接続サイクルを実現するために、コンタクトデバイスは被覆されていなければならず、これはやはり、コンタクトデバイスのコストを増加させる。
【発明の概要】
【発明が解決しようとする課題】
【０００６】
本発明の目的は、たとえば３相電流分野または電気自動車分野向けの改善された高電力電気コネクタまたは改善された高電力電気相手側コネクタ、特に電気高電流コネクタまたは電力コネクタを特定することである。この場合、コネクタは、コネクタが使用される環境に応じて、１０，０００〜２０，０００回のプラグ接続サイクル用に設計されるべきであり、前記コネクタのコンタクトデバイスは、比較的費用効果を高くするべきである。特に、この場合、コンタクトデバイスの比較的コストの高い被覆なしで済ませることを可能にするべきである。
【課題を解決するための手段】
【０００７】
本発明の目的は、独立請求項に記載の高電力電気コネクタ用の高電力電気コンタクトデバイス、特に電気高電流コンタクトデバイスまたは電力コンタクトデバイス、高電力電気コネクタ用の交換可能な高電力電気コンタクトモジュール、特に交換可能な電気高電流コンタクトモジュールまたは交換可能な電力コンタクトモジュール、ならびに好ましくは３相電流分野または電気自動車分野向けの高電力電気コネクタまたは高電力電気相手側コネクタ、特に電気高電流コネクタまたは電力コネクタによって実現される。本発明の有利な発展形態、追加の特徴、および／または利点は、従属請求項および以下の説明に記載する。
【０００８】
本発明による高電力電気コンタクトデバイスは、高電力電気接触区間および高電力電気接続区間を備え、接触区間は、第１の高電力電気コンタクト装置として構成され、接続区間は、第２の高電力電気コンタクト装置として構成される。高電力電気とは、コンタクトデバイスがたとえば２４Ｖ超、特に４８Ｖ超、たとえば約５００Ｖの電圧、４Ａ超、特に１２Ａ超、たとえば約３２Ａの電流、および／または５００ｍＡ超、特に１Ａ超、たとえば約２Ａの信号に適していることを意味するものとする。言うまでもなく、これらを上回る値を使用することもできる。
【０００９】
この場合、コンタクトデバイスまたは第１のコンタクト装置は、交換可能な高電力電気コンタクトモジュール用に構成することができる。個々のコンタクトデバイスについて２つのコンタクト装置は、互いに別個に構成することができる。互いに分離することができまたは互いに重ねて取り付けることができる２つのコンタクト装置は、いずれの場合も、２つのコンタクト装置を互いに電気的に切断することができまたは互いに電気的に接続することができる高電力電気接触領域をさらに備えることができる。この場合、２つのコンタクト装置は、２つのコンタクト装置を互いに機械的に切断することができまたは互いに接続することができる機械的接触領域をさらに備えることができる。
【００１０】
本発明によれば、コンタクトデバイスは、少なくとも２つの部分で構成される。この場合、コンタクト装置は、コンタクトデバイスとしてワンピースでともに保持することができる。すなわち、個々のコンタクトデバイスの（少なくとも）２つの部分、すなわち第１のコンタクト装置および第２のコンタクト装置は、互いに別個に構成され、すなわち個々に構成され、またはこれらの部分を相互に取り付ける前に、互いに電気的および／もしくは機械的に切断される。実施形態では、第１のコンタクト装置および第２のコンタクト装置は、単一の解放可能な接続によって互いに電気機械的に結合することができる。電気機械的接続は、ポジティブおよび／または非ポジティブ接続として構成することができ、接続は、好ましくは、プラグ接続、ねじ接続、ラッチ接続、またはスナップアクション接続として構成される。
【００１１】
この場合、電気機械的接続は、好ましくは、相補的な形状および／または相補的な機能を（少なくとも）部分的に有するように構成される。さらに、この接続内には、弱凝集性の接続（コンタクトペースト、着脱可能な接着剤）を提供することができる。コンタクトデバイスの接続は、手および／または工具によって第１のコンタクト装置を第２のコンタクト装置から容易に分離することができ、逆も同様になるように構成することができる。これは、好ましくは、２つのコンタクト装置の一方を損傷することなく行われる。特に、これは、それぞれの他方のコンタクト装置が交換されるとき、交換することを意図しないコンタクト装置が損傷されないように行われる。
【００１２】
実施形態では、第１のコンタクト装置は、接触領域を有し、高電力電気相手側コンタクトデバイスによって接触領域との電気および／または機械的接触を形成することができる。実施形態では、第２のコンタクト装置は、接続領域を有し、電気ケーブルを接続領域に電気的に接続することができる。実施形態では、第１のコンタクト装置は、コンタクト装置取付け区間を有することができ、第２のコンタクト装置は、コンタクト装置取付け区間上／内に取付け可能でありまたは取り付けられる。さらに、第２のコンタクト装置は、コンタクト装置取付け区間を有することができ、第１のコンタクト装置は、コンタクト装置取付け区間上／内に取付け可能でありまたは取り付けられる。この場合、コンタクト装置取付け区間は、相補的な形状および／または相補的な機能を部分的に有するように構成することができる。
【００１３】
実施形態では、第１のコンタクト装置は、ハウジング取付け区間を有することができ、第１のコンタクト装置は、ハウジング取付け区間によって、接触区間レセプタクル上／内に間接または直接に取付け可能でありまたは取り付けられる。さらに、第２のコンタクト装置は、ハウジング取付け区間を有することができ、第２のコンタクト装置は、ハウジング取付け区間によって、コネクタハウジング上／内に間接または直接に取付け可能でありまたは取り付けられる。この場合、ハウジング取付け区間は、相補的な形状または相補的な機能を有するように構成することができない。取り付けられたコンタクトデバイスの場合、前記取り付けられたコンタクトデバイスのコンタクト装置取付け区間は、電気機械的接続または電気および機械的接触領域を構成する。
【００１４】
この場合、コンタクト装置取付け区間は、好ましくは、互いに部分的に案内される。さらに、コンタクト装置取付け区間は、この場合好ましくは、コンタクトデバイスの軸方向および／または径方向に重複する。さらに、コンタクト装置取付け区間は、相互に中心合わせすることができる。すなわち、一方のコンタクト装置のコンタクト装置取付け区間は、コンタクト装置取付け区間の外側で、場合により他方のコンタクト装置内に、たとえば径方向に中心合わせされ、他方のコンタクト装置のコンタクト装置取付け区間は、コンタクト装置の内側（場合により、コンタクト装置取付け区間の内側またはさらにはハウジング取付け区間の内側）で、径方向に中心合わせされる。
【００１５】
さらに、取り付けられたコンタクトデバイスのハウジング取付け区間は、軸方向に互いに隔置することができ、ハウジング取付け区間は、実質上等しいもしくは等しくない（外側）直径または等しいもしくは等しくない（外側）寸法を有することができる。個々のコンタクト装置のハウジング取付け区間は、前記個々のコンタクト装置のコンタクト装置取付け区間の向こうまたは外側に径方向に設けることが可能である。さらに、同じコンタクト装置のハウジング取付け区間およびコンタクト装置取付け区間は、好ましくは軸方向に重複することができ、すなわちたとえば、コンタクト装置取付け区間は、ハウジング取付け区間の内側へ場合によりわずかに突出することができる。言うまでもなく、ハウジング取付け区間は、好ましくは軸方向に、同じコンタクト装置のコンタクト装置取付け区間から距離をあけて設けることも可能である。
【００１６】
第１のコンタクト装置のコンタクト装置取付け区間は、コンタクトばねリングまたはコンタクトピンを備えることができる。第２のコンタクト装置のコンタクト装置取付け区間は、相似的に、コンタクトピンまたはコンタクトばねリングを備えることができる。さらに、第１のコンタクト装置のコンタクト装置取付け区間は、めねじ（ねじ付き凹部）またはおねじ（ねじ付きピン）を備えることができる。第２のコンタクト装置のコンタクト装置取付け区間は、相似的に、おねじ（ねじ付きピン）またはめねじ（ねじ付き凹部）を備えることができる。
【００１７】
実施形態では、コンタクトデバイスは、ソケットコンタクトデバイス、ピンコンタクトデバイス、またはタブコンタクトデバイスとして構成することができる。言うまでもなく、他のコンタクトデバイスを使用することもできる。第１のコンタクト装置は、場合により部分的に、コンタクトデバイスの接触区間として、特にソケットコンタクトとして構成することができる。言うまでもなく、第１のコンタクト装置はまた、場合により部分的に、ピンコンタクト、タブコンタクトなどとして構成することもできる。
【００１８】
高電力電気相手側コンタクトデバイスまたは高電力電気相手側コンタクト装置が、部分的に相似的および／または相補的に構成され（たとえば、ソケットコンタクトに関連するピンコンタクトまたはタブコンタクト）、コンタクトデバイスおよび相手側コンタクトデバイス、コンタクト装置および相手側コンタクト装置という用語は、同義に使用することができる。これはまた、コネクタおよび相手側コネクタにも適用することができる（下記も参照されたい）。さらに、第２のコンタクト装置は、場合により部分的に、ケーブル用の接続区間として、特にコンタクトデバイスの圧着接続として構成することができる。言うまでもなく、ここでは、場合により部分的に、（締固め）溶接接続、はんだ接続、接着接続、プラグ接続、ねじ接続などを使用することもできる。
【００１９】
第１のコンタクト装置および／または第２のコンタクト装置は、材料面では（ｉｎ  ｍａｔｅｒｉａｌ  ｔｅｒｍｓ）ワンピースまたは一体の構成とすることができる。材料面でワンピース構成の場合、コンタクト装置の個々の部分（もしあれば）は、たとえば溶接、はんだ付け、接着接合によって互いに凝集して固定され、好ましくは、構成を損傷しなければ個々の部分に分離することができない。前記個々の部分は、ポジティブ接続および／または非ポジティブ接続によって、ともに物理的にさらに保持することができる。一体構成の場合、多かれ少なかれ破壊しなければ分離することができない単一の構成要素部分のみが存在する。したがって、一体コンタクト装置は、単一の部品から製造され、この単一の部品は、それに関する限り、一体またはモノリシックとすることができる。
【００２０】
実施形態では、第１のコンタクト装置および／または第２のコンタクト装置は、被覆されていないものとすることができる。この場合、被覆されていないとは、当該コンタクト装置の実際の材料が空気に開かれており、場合により部分的に、たとえばニッケルを含有する被覆下に設けられていないことを意味するものとする。第１のコンタクト装置および／または第２のコンタクト装置は、銅合金、特に真鍮から構成することができる。この種の銅合金は、たとえば、ＣｕＺｎ３７Ｐｂ２またはＣｕＺｎ３５Ｐｂ２とすることができる。
【００２１】
実施形態では、第２のコンタクト装置のハウジング取付け区間は、流体シールのための封止台座として構成することができる。さらに、コンタクトデバイスは、サブアセンブリとして構成することができ、サブアセンブリは、コンタクトデバイスシールを有することができる。この場合、コンタクトデバイスシールは、たとえばハウジング取付け区間上に取付け可能としまたは取り付けることができる。
【００２２】
本発明による交換可能な高電力電気コンタクトモジュールは、少なくとも１つの接触区間レセプタクルを有するインサートハウジングを備え、接触区間レセプタクル上／内には、高電力電気コンタクトデバイスの高電力電気コンタクト装置を設けることができまたは設けられている。この場合、コンタクト装置は、たとえば接触区間レセプタクル上／内に、少なくとも部分的に、ポジティブおよび／または非ポジティブで受け取ることができまたは受け取られている。たとえば、コンタクト装置は、たとえば接触区間レセプタクルへ／接触区間レセプタクル内に、ラッチすることができもしくはラッチされており、クリッピングすることができもしくはクリッピングされており、かつ／または接着接合することができもしくは接着接合されている、などである。
【００２３】
実施形態では、インサートハウジングは、複数の接触区間レセプタクルを有するベースプレートを備えることができ、複数の接触区間レセプタクルを通って、複数のコンタクト装置が挿入される。この場合、少なくともベースプレートは、コンタクトモジュールのインサートハウジングを構成することができ、インサートハウジングは実質上、ディスク（ベースプレート、板）またはさらに（開かれた）ケージ、（開かれた）タブまたは容器の形状である。複数の保護スリーブが、ベースプレートから離れて延びることができ、複数の保護スリーブのそれぞれの中に、接触区間レセプタクルが設けられる。コンタクト装置は、保護スリーブの接触区間レセプタクル内に（部分的に）受け取ることができる。
【００２４】
実施形態では、ベースプレートは、材料面では保護スリーブを有するワンピースまたは一体の構成とすることができる。さらに、インサートハウジングは、材料面ではワンピースまたは一体の構成とすることができる。同様に、材料面でワンピースまたは一体の構成に関しては、上記を参照されたい。インサートハウジングは、コネクタハウジングとラッチするラッチデバイスまたはラッチ装置を有することができる。ラッチデバイスは、たとえば、ラッチばね、ラッチアーム、ラッチラグなどとして構成することができる。さらに、ラッチ装置は、たとえば、ラッチ要素、ラッチ突起、ラッチラグ、ラッチ肩部、ラッチ境界、ラッチ縁部、ラッチ凹部、ラッチ通路凹部などとして構成することができる。コンタクトモジュールは、本発明によるコンタクトデバイスまたは第１のコンタクト装置を有することができる。
【００２５】
本発明による高電力電気コネクタまたは本発明による高電力電気相手側コネクタは、コネクタハウジングを備え、コネクタハウジングは、少なくとも１つの接触区間レセプタクルを有し、接触区間レセプタクル内には、高電力電気コンタクトデバイスの高電力電気コンタクト装置が設けられる。この場合、コンタクトデバイスは、本発明によるコンタクトデバイスとして構成することができる。さらに、コネクタまたは相手側コネクタは、本発明による交換可能な高電力電気コンタクトモジュールを有することができる。この場合、コネクタまたは相手側コネクタは、コンタクトモジュールのコンタクトデバイスまたはコンタクトデバイスを固定するコンタクト固定デバイスを有することができる。この場合、コンタクト固定デバイスは、別個に設けることができ、かつ／またはコネクタハウジング内に設けることができる。
【００２６】
コネクタまたは相手側コネクタは、プラグ、カップリング、プラグソケット、または内蔵コネクタとして構成することができる。さらに、コネクタまたは相手側コネクタは、３相電流コネクタまたは充電コネクタとして構成することができる。コネクタハウジングは、コンタクトモジュールのインサートハウジングとラッチするラッチデバイスまたはラッチ装置を有することができる（ラッチデバイスまたはラッチ装置に関しては上記を参照されたい）。関係するラッチデバイス、関係するラッチ装置、またはラッチ装置に関係するラッチデバイス、およびその逆は、取り付けられた状態で、ポジティブおよび／または非ポジティブ組合せを形成することができる。この場合、組合せは、好ましくは、相補的な形状および／または相補的な機能を部分的に有するように構成される。
【００２７】
本発明について、例示的な実施形態を使用して、原寸に比例しない添付の詳細な図面を参照し、以下でより詳細に説明する。図の説明、参照記号の一覧、および特許請求の範囲では、同一、一義、または類似の構成および／または機能を有する要素、構成要素部分、または構成要素に対して同じ参照記号を提供し、図面の図では同じ参照記号によって識別する。本発明の記載の例示的な実施形態またはそれらの個々のアセンブリ、部分、もしくは区間に関して、本説明に記載しない、図面に図示しない、かつ／または排他的でない、可能な代替手段、定常状態および／または運動状態の逆転、組合せなどは、参照記号の一覧に記載する。
【００２８】
参照記号の一覧内の特徴を含む記載の特徴はすべて、１つまたは複数の指定された組合せだけでなく、１つもしくは複数の他の組合せで使用することができ、または単独で使用することができる。特に、本発明の説明、図の説明、および／または参照記号の一覧において、本発明の説明および／または図の説明の１つまたは複数の特徴は、前記参照記号に関連する参照記号および特徴に基づいて置き換えることが可能である。さらに、特許請求の範囲内の１つまたは複数の特徴は、解釈し、より詳細に指定し、かつ／またはその結果置き換えることができる。これらの図は、例示的なものにすぎない。
【図面の簡単な説明】
【００２９】
【図１】前面から斜めに見た、本発明によるコンタクトデバイスの一実施形態を有する本発明によるコネクタ（相手側コネクタ）の一実施形態の、横方向に中央で切断した斜視図である。
【図２】前面から斜めに見た、前記コンタクトデバイスの２つのコンタクト装置がともに差し込まれた状態にある、図１からの高電力電気コンタクトデバイスの実施形態の同様の、横方向に中央で切断した斜視図である。
【図３】コンタクトデバイスの２つのコンタクト装置が互いに分離されて取り外された状態にある、図２からのコンタクトデバイスの実施形態の図２と同様の図である。
【図４】前面上方から斜めに見た、前記コンタクトデバイスの２つのコンタクト装置がともにねじ込まれた状態にある、本発明による高電力電気コンタクトデバイスのさらなる実施形態の斜視図である。
【図５】コンタクトデバイスの２つのコンタクト装置が互いに分離されて取り外された状態にある、図４からのコンタクトデバイスの第２の実施形態の図４と同様の図である。
【発明を実施するための形態】
【００３０】
本発明について、３相電流分野または電気自動車分野向けの、特に銅またはアルミニウムケーブル用の高電力電気コンタクトデバイス１０の２つの実施形態（図１〜図３ならびに図４および図５）、ならびに交換可能な高電力電気コンタクトモジュール２の一実施形態および高電力電気コネクタ１の一実施形態（どちらも図１）を参照して、以下でより詳細に説明する。コネクタ１およびコンタクトデバイス１０に関して示す情報は、相手側コネクタ１および相手側コンタクトデバイス１０にも当てはまるものとする。すなわち、これらの名称は、同義であると解釈されるべきである。
【００３１】
本発明は、この種の実施形態に制限されるものではなく、より基本的な性質のものであり、結果的に、自動車分野または自動車以外の分野、たとえば電気工学分野、エネルギー関連分野などで、他のコンタクトデバイスに使用することができる。すなわち、本発明の保護範囲から逸脱することなく、これらの実施形態から他の変形形態を導き出すことができる。この場合、以下の記載は、コネクタ１、コンタクトデバイス１０、および／またはコンタクトデバイス１０のコンタクト装置１１０、１２０の軸方向Ａｘ（ａｘｉａｌ）、長手方向軸Ａｘ、または回転軸Ａｘ、径方向Ｒａ（ｒａｄｉａｌ）、ならびに円周方向Ｕｍ（ｔａｎｇｅｎｔｉａｌ）に関し、それぞれの場合で、そのような方向のうちの２つが可能である。
【００３２】
本発明による高電力電気（高電流／電力）（相手側）コネクタ１は、この場合は線形に構成されており、プラグ１（高電流プラグ１、充電プラグ１、シュラウド付きプラグ１など）またはカップリング１（高電流カップリング１、充電カップリング１、シュラウド付きカップリング１など）として構成される。言うまでもなく、コネクタ１を傾斜または湾曲させて構成することも可能である。さらに、コネクタ１は、プラグソケット、内蔵コネクタなどとして構成することができる。本発明による高電力電気（高電流／電力）コンタクトデバイス１０は、この場合も同様に線形に構成されており、圧着コンタクトデバイス１０として構成され、コンタクトデバイス１０は、ソケットコンタクトデバイス１０としてさらに構成される。
【００３３】
言うまでもなく、コンタクトデバイス１０をピンコンタクトデバイス、タブコンタクトデバイスなどとして構成することも可能である。さらに、コンタクトデバイス１０は、高電力でない電気コンタクトデバイス１０として、すなわち電気コンタクトデバイス１０として構成することができる。さらに、コンタクトデバイス１０は、（締固め）溶接コンタクトデバイス、はんだコンタクトデバイスなどとして構成することができる（下記参照）。言うまでもなく、コンタクトデバイス１０を傾斜または湾曲させて構成することも可能である。
【００３４】
本発明によれば、コンタクトデバイス１０は、いくつかの部分、特に２つの部分で構成される。すなわち、単一のコンタクトデバイス１０の少なくとも２つの区間または構成部分を、機械的、電気的、および／または電気機械的に互いに切断することができ、場合によりともに再び接合することができる。この場合、２つの区間もしくは構成部分は、互いに別個に形成することができ、または２つの区間もしくは構成部分は、材料面ではワンピースもしくは一体の部分（コンタクトデバイス１０）から形成される。
【００３５】
コンタクトデバイス１０は、好ましくは、２つの（高電力電気、電気）コンタクト装置１１０、１２０を備える。この場合、コンタクト装置１１０は、ソケットコンタクト１１０、ピンコンタクト、タブコンタクトなどとして構成することができ、この場合、接続装置１２０として構成されたコンタクト装置１２０は、圧着接続１２０、（締固め）溶接接続、はんだ接続、接着接続、プラグ接続、ねじ接続などとして構成することができる。コンタクト装置１１０、１２０は、コンタクトデバイス１０として、ワンピースであるが容易に解放可能に、ともに保持される。
【００３６】
互いに重ねて取り付けられた状態（図１、図２、および図５参照）で、互いに分離することができる個々のコンタクトデバイス１０の２つのコンタクト装置１１０、１２０は、接触領域１５または接続１５を構成し、接触領域または接続内で、前記コンタクト装置は、機械的、電気的、および／または電気機械的に互いに切断することができ、場合によりともに再び接合することができる。この接触領域１５は、ポジティブおよび／または非ポジティブ接続１５として部分的に構成することができる。例として、（ばね）プラグ接続（図１〜図３参照）、ねじ接続（図４および図５参照）、ラッチ接続、スナップアクション接続（クリップ配置など）などが、この目的で使用される。
【００３７】
好ましくは、コンタクトデバイス１０の接触区間１１０は、コンタクトデバイス１０の第１のコンタクト装置１１０として構成され、コンタクトデバイス１０の接続区間１２０は、第２のコンタクト装置１２０として構成される。すなわち、コンタクトデバイス１０は、軸方向Ａｘに２つの区間１１０、１２０を有し、２つの区間１１０、１２０は、２つの区間１１０、１２０の共通の接触領域１５とは別に、好ましくは、コンタクトデバイス１０の完全な軸方向区間を形成する。
【００３８】
互いに関連する２つのコンタクト装置１１０、１２０を相互に取り付けるために、各コンタクト装置１１０、１２０は、対応するコンタクト装置取付け区間１１１、１２１を有し、これらのコンタクト装置取付け区間は、コンタクト装置１１０、１２０が取り付けられた状態で、コンタクト装置取付け区間同士の間に個々のコンタクトデバイス１０の接触領域１５を形成する。コンタクト装置取付け区間１１１、１２１は特に、互いに重ねて、場合により複数回重ねて、設けることができまたは取り付けることができるように構成される。
【００３９】
好ましくは、この場合は互いに重ねて設けることができまたは取り付けることができるコンタクト装置取付け区間１１１、１２１は、部分的にポジティブで構成され、かつ／または部分的に非ポジティブで構成される。取付け区間１１１、１２１のポジティブおよび／または非ポジティブ接続は、たとえば、（ばね）プラグ接続１１１、１２１（図１〜図３参照）、ねじ接続（図４および図５参照）、ラッチ接続、スナップアクション接続（クリップ配置など）などとして構成することができる。
【００４０】
したがって、たとえば、コンタクト装置取付け区間１１１／１２１をコンタクトピン／コンタクトばねリング１１１／１２１として構成することが可能であり、かつそれに対応しまたはそれに相補的に、コンタクト装置取付け区間１２１／１１１を部分的にコンタクトばねリング／コンタクトピン１２１／１１１として構成することが可能である（図１〜図３参照）。さらに、たとえば、取付け区間１１１／１２１をめねじ（ねじ付き凹部）／おねじ（ねじ付きピン）１１１／１２１として構成することが可能であり、かつそれに対応しまたはそれに相補的に、コンタクト装置取付け区間１２１／１１１を部分的におねじ（ねじ付きピン）／めねじ（ねじ付き凹部）１２１／１１１として構成することが可能である（図４および図５参照）。言うまでもなく、コンタクト装置取付け区間１１１、１２１用の他の電気機械的接続１５を使用することもできる。
【００４１】
コンタクト装置１１０、１２０の少なくとも１つは、ハウジング取付け区間１１２、１２２を有し、ハウジング取付け区間１１２、１２２は、場合により、コンタクトデバイス１０をハウジング３、２０上／内に取り付けるための封止台座（１１２、）１２２として構成される。コンタクト装置１１０／１２０の一方の上に、コンタクトデバイス１０の単一のハウジング取付け区間１１２／１２２のみが存在する場合、それぞれの他方のコンタクト装置１２０／１１０は、好ましくは、第１のコンタクト装置１１０／１２０によってハウジング３、２０上／内に保持される。しかし、好ましくは、個々のコンタクトデバイス１０のコンタクト装置１１０／１２０がそれぞれ、ハウジング取付け区間１１２、１２２を有する。
【００４２】
さらに、コンタクトデバイス１０またはコンタクト装置１１０、１２０の一方は、接触領域１１３を有し、コンタクトデバイス１０またはコンタクト装置１２０、１１０の一方は、接続領域１２３を有する。接触領域１１３は、たとえば、ソケット領域１１３、ピン領域、タブ領域などとして構成することができる。接続領域１２３は、たとえば、圧着領域１２３、（締固め）溶接領域、はんだ領域、接着領域、プラグ領域、ねじ領域などとして構成することができる。
【００４３】
それぞれのコンタクト装置１１０、１２０の設計に応じて、それぞれのコンタクト装置取付け区間１１１／１２１、それぞれのハウジング取付け区間１１２／１２２、および／またはそれぞれの接触領域１１３もしくは接続領域１２３は、コンタクト装置１１０、１２０内で、径方向Ｒａに互いに対してずれ、かつ場合により部分的に軸方向Ａｘに互いに重複するように形成することができ、また軸方向Ａｘに互いに対してずれ、かつ／または径方向Ｒａに互いに対してずれるように形成することができる。
【００４４】
したがって、特に個々のコンタクト装置１１０／１２０の場合、コンタクト装置取付け区間１１１／１２１は、このコンタクト装置１１０／１２０のハウジング取付け区間１１２／１２２内に、部分的または実質上完全に設けることが可能である（図１〜図３参照）。この場合、コンタクト装置取付け区間１１１／１２１およびハウジング取付け区間１１２／１２２の等しくない半径を実現することができる。さらに、個々のコンタクト装置１２０／１１０の場合、コンタクト装置取付け区間１２１／１１１は、このコンタクト装置１１０／１２０のハウジング取付け区間１２２／１１２から軸方向の距離をあけて設けることが可能である。この場合、コンタクト装置取付け区間１２１／１１１およびハウジング取付け区間１２２／１１２の等しいまたは等しくない半径を実現することができる（図４および図５参照）。
【００４５】
さらに、コンタクトデバイス１０またはコンタクト装置１１０、１２０の一方は、コンタクトデバイスシール１３０を有することができる。この目的のため、ハウジング取付け区間１１２、１２２は、好ましくは、封止台座（１１２、）１２２として構成され、コンタクトデバイスシール１３０は、封止台座上で封止するように着座する。この場合、コンタクトデバイスシール１３０を有するコンタクトデバイス１０は、サブアセンブリ１０として構成することができる。
【００４６】
コネクタ１の一実施形態を図１に示す。図１で、コネクタ１は、コネクタハウジング３または外側ハウジング３を有し、ハウジング３上／内には、交換可能な高電力電気コンタクトモジュール２または交換可能な電気高電流コンタクトモジュール２または交換可能な電力コンタクトモジュール２が、その取り付けられた位置に示されている。コンタクトモジュール２は、インサートハウジング２０またはコンタクトモジュールハウジング２０を備え、この場合、ハウジング２０は、実質上容器の形態で構成される。言うまでもなく、実質上ディスク状（ベースプレート２００のみ、下記参照）、実質上ケージ状、または実質上タブ状の構成などを使用することもできる。
【００４７】
インサートハウジング２０は、少なくとも１つのベースプレート２００を備え、ベースプレート２００は、ディスク２００、板などとして構成することができる。ベースプレート２００は、コンタクトデバイス１０のそれぞれのコンタクト装置１１０／１２０、特に第１のコンタクト装置１１０を保持するための少なくとも１つの接触区間レセプタクル２０１を有する。この場合、コンタクト装置１１０（、１２０）は、そのコンタクト装置取付け区間１１１（、１２１）によって、接触区間レセプタクル２０１内に収容される。取付け区間１１１（、１２１）の軸方向端部上に存在することができるカラー１１４は、コンタクト装置１１０（、１２０）がインサートハウジング２０内へあまりに深く挿入されることを防止する。
【００４８】
好ましくは、少なくとも１つの保護スリーブ２１０または保護ノズル２１０が、ベースプレート２００から離れて延びており、場合により部分的に保護スリーブ２１０の接触区間レセプタクル２１１内に収容されたコンタクト装置１１０（、１２０）に作業者が接触できないように、コンタクト装置１１０（、１２０）または場合により少なくとも前記コンタクト装置の実際の接触領域１１３を、前記保護スリーブまたは保護ノズル内に受け取ることが可能である。保護スリーブ２１０は、好ましくは、実質上中空の円筒形に構成される。
【００４９】
場合によりベースプレート２００の径方向外側ホイールに設けられる側壁２００により、コンタクトモジュール２をコネクタハウジング３内へ挿入することをより容易にすることができる。この場合、側壁２２０は、ベースプレート２００の外側ホイールの周りを円周方向Ｕｍに実質上完全に通ることができる。これに相似的に、コネクタハウジング３は、場合により実質上完全に円周を囲むシュラウド３２０を有することができる。ベースプレート２００およびコネクタハウジング３または側壁２２０およびシュラウド３２０は、好ましくは互いに解放することができる相補的ラッチデバイスを、場合により部分的に有し、その結果、コンタクトモジュール２をコネクタハウジング３上／内に固定することができる。
【００５０】
本発明によれば、コンタクトデバイス１０のそれぞれのコンタクト装置１２０、１１０、特に第２のコンタクト装置１２０は、コネクタハウジング３によって保持することができる。この目的のため、コネクタハウジング３は、接触区間レセプタクル３０１を有し、コンタクト装置１２０（、１１０）は、そのコンタクト装置取付け区間１２１（、１１１）によって、接触区間レセプタクル３０１内に受け取られる。取付け区間１２１（、１１１）の軸方向端部に存在することができるカラー１２４は、他方のコンタクト装置１１０（、１２０）のカラー１１４に対する止め具を画定し、場合により、コンタクトデバイスシール１３０に対する軸方向止め具として働く。
【００５１】
コンタクト装置１２０（、１１０）は、好ましくは、コネクタハウジング３の接触区間レセプタクル３０１内またはコネクタハウジング３内に、回転方向に固定されるように受け取られる。さらに、コンタクト装置１１０（、１２０）も同様に、好ましくは、接触区間レセプタクル２０１および保護スリーブ２１０内、またはコンタクトモジュール２内に、回転方向に固定されるように受け取られる。好ましくは、２つのコンタクト装置１１０、１２０は、たとえば場合によりばねスロットとは別に、タブコンタクトとして構成されるソケット領域１１３または接触領域１１３内で実質上回転対称に構成される。
【００５２】
本発明によるコネクタ１は、たとえばコンタクト装置１１０（、１２０）の接触領域１１３が過剰な摩耗量を呈した場合、コンタクトモジュール２をコネクタ１から除去しまたはコネクタ１から取り出すことができ、第２のコンタクトモジュール２によって交換することができるように設計される。その結果、コネクタ１全体を交換する必要がなくなり、コネクタ１の一部を交換するだけでよい。
【００５３】
図１〜図３に示すコンタクトデバイス１０の実施形態について、以下でより詳細に説明する。図１および図２は、取り付けられたコンタクトデバイス１０を示し、図３は、取り外されたコンタクトデバイス１０を示す。この場合、コンタクトデバイス１０は、前記コンタクトデバイスの２つのコンタクト装置１１０、１２０を互いの中へまたは互いに重ねて挿入することができ、それに対応して線形に再び互いに切断することができるように構成され、これを図２に２つの太い矢印によって示す。
【００５４】
コンタクトデバイス１０の第１の接触区間１１０または第１のコンタクト装置１１０は、自由長手方向端部区間上に、ソケット領域１１３として構成される接触領域１１３を備える。ハウジング取付け区間１１２が、接触領域１１３に軸方向にさらに後方で隣接する。この場合、ハウジング取付け区間１１２は、封止台座として構成されない。コンタクトばねリング１１１、たとえばソケットの形として構成されるコンタクト装置取付け区間１１１は、前記ハウジング取付け区間に軸方向にさらに後方で隣接する。好ましくは、第１のコンタクト装置１１０内でハウジング取付け区間１１２とコンタクト装置取付け区間１１１との間にカラー１１４が形成される。
【００５５】
コンタクトデバイス１０の第２の接触区間１２０または第２のコンタクト装置１２０は、自由長手方向端部区間上に、ハウジング取付け区間１２２を備え、この場合、ハウジング取付け区間１２２は、好ましくは、封止台座として構成される。カラー１２４は、好ましくは、ハウジング取付け区間１２２の自由端部に形成される。ハウジング取付け区間１２２内には、コンタクトピン１２１またはコンタクトボルト１２１として構成されるコンタクト装置取付け区間１２１が設けられ、コンタクト装置取付け区間１２１は、コンタクトピン１２１とは別に、中空のハウジング取付け区間１２２内に、部分的または実質上完全に設けることができる。
【００５６】
第２のコンタクト装置１２０の接続領域１２３は、好ましくは圧着領域１２３として構成されており、ハウジング取付け区間１２２およびコンタクト装置取付け区間１２１に軸方向にさらに後方で隣接する。好ましくは、前記接続領域とハウジング取付け区間との間には、コンタクト装置１２５を固定する固定領域１２５が設けられ、その目的で、対応するラッチデバイスまたはラッチ装置が、固定領域１２５内／上に係合または作用することができる。この場合、ラッチデバイスまたはラッチ装置は、コネクタハウジング３の一区間とすることができ、または外部の構成要素部分とすることもでき、もしくは外部の構成要素部分上に形成することができる。
【００５７】
図１〜図３に示すように、第２のコンタクト装置１２０は、コンタクトピン１２１がハウジング取付け区間１２２から突出するように構成することが可能である。この場合、コンタクトピン１２１の自由長手方向端部区間は、コンタクトデバイス１０が取り付けられた状態にあるとき、第１のコンタクト装置１１０の中心合わせ凹部１１５内へ係合することができ、中心合わせ凹部１１５は、第１のコンタクト装置１１０のハウジング取付け区間１１２の内側に形成される。
【００５８】
言うまでもなく、第１のコンタクト装置１１０のコンタクト装置取付け区間１１１を第２のコンタクト装置１２０上に設けることが可能であり、これに相似的に、第２のコンタクト装置１２０のコンタクト装置取付け区間１２１を第１のコンタクト装置１１０上に設けることが可能である。さらに、以下の実施形態に相似的に、コンタクトばねリング１１１およびコンタクトピン１２１の配置の代わりに、おねじ１２１（ねじ付きピン１２１）およびめねじ１１１（ねじ付き凹部１１１）の配置またはめねじ１１１（ねじ付き凹部１１１）およびおねじ１２１（ねじ付きピン１２１）の配置を使用することも可能である。
【００５９】
図４および図５に示すコンタクトデバイス１０の実施形態について、以下でより詳細に説明する。図４は、取り外されたコンタクトデバイス１０を示し、図５は、取り付けられたコンタクトデバイス１０を示す。この場合、コンタクトデバイス１０は、前記コンタクトデバイスの２つのコンタクト装置１１０、１２０を互いにねじ込むことができるように構成され、これを図４に２つの太い矢印によって示す。したがって、２つのコンタクト装置１１０、１２０は、逆回転運動によって再び互いに切断することができる。
【００６０】
コンタクトデバイス１０の第１の接触区間１１０または第１のコンタクト装置１１０は、自由長手方向端部区間上に、ソケット領域１１３として構成される接触領域１１３を備える。ハウジング取付け区間１１２が、接触領域１１３に軸方向にさらに後方で隣接する。この場合、ハウジング取付け区間１１２は、封止台座として構成されない。ハウジング取付け区間１１２内には、めねじ１１１（ねじ付き凹部１１１）として構成されるコンタクト装置取付け区間１１１が設けられ、好ましくは、完全にハウジング取付け区間１１２内に設けられる。第１のコンタクト装置１１０は、好ましくは、カラーをもたない。
【００６１】
コンタクトデバイス１０の第２の接触区間１２０または第２のコンタクト装置１２０は、自由長手方向端部区間上に、コンタクト装置取付け区間１２１を備え、コンタクト装置取付け区間１２１は、おねじ１２１（ねじ付きピン１２１）として構成され、第２のコンタクト装置１２０から突出する。ハウジング取付け区間１２２が、前記コンタクト装置取付け区間に軸方向にさらに後方で隣接し、好ましくは、コンタクト装置取付け区間１２１とハウジング取付け区間１２２との間には、カラー１２４が形成される。この場合、ハウジング取付け区間１２２は、好ましくは、封止台座として構成される。
【００６２】
第２のコンタクト装置１２０の接続領域１２３は、好ましくは圧着領域１２３として構成されており、ハウジング取付け区間１２２に軸方向にさらに後方で隣接する。好ましくは、前記接続領域とハウジング取付け区間との間には、コンタクト装置１２５を固定する固定領域１２５が設けられ、その目的で、対応するラッチデバイスまたはラッチ装置が、固定領域１２５内／上に係合または作用することができる。この場合、ラッチデバイスまたはラッチ装置は、やはりコネクタハウジング３の一区間とすることができ、または外部の構成要素部分とすることもでき、もしくは外部の構成要素部分上に形成することができる。
【００６３】
言うまでもなく、第１のコンタクト装置１１０のコンタクト装置取付け区間１１１を第２のコンタクト装置１２０上に設けることが可能であり、これに相似的に、第２のコンタクト装置１２０のコンタクト装置取付け区間１２１を第１のコンタクト装置１１０上に設けることが可能である。さらに、上記の実施形態に相似的に、めねじ１１１（ねじ付き凹部１１１）およびおねじ１２１（ねじ付きピン１２１）の配置の代わりに、コンタクトばねリング１１１およびコンタクトピン１２１の配置またはコンタクトピン１２１およびコンタクトばねリング１１１の配置を使用することも可能である。
【符号の説明】
【００６４】
１  たとえば３相電流分野、電気自動車分野などのための、線形の、傾斜した、または湾曲した、（高電力電気）（高電流／電力）（相手側）コネクタ、たとえば（フライング）プラグ、（フライング）カップリング、プラグソケット、内蔵コネクタ、たとえば電気ケーブル、電線などのための高電流プラグ／カップリング、充電プラグ／カップリング、シュラウド付きプラグ／カップリングなど
２  交換可能な高電力電気コンタクトモジュール、交換可能な電気高電流コンタクトモジュール、交換可能な電力コンタクトモジュール
３  コンタクトモジュール２用のハウジング、コネクタハウジング、外側ハウジング
１０  線形の、傾斜した、または湾曲した、高電力電気（高電流／電力）（相手側）コンタクトデバイス、たとえばソケットコンタクトデバイス、ピンコンタクトデバイス、タブコンタクトデバイスなど、および／またはたとえば圧着コンタクトデバイス、（締固め）溶接コンタクトデバイス、はんだコンタクトデバイスなど、場合によりサブアセンブリとして設けることができ、場合によりコンタクトデバイスシール１３０を有する。
１５  コンタクト装置１１０、１２０間の電気的、機械的、および／または電気機械的に解放可能な接触領域または接続、ポジティブおよび／または非ポジティブ接続、たとえば（ばね）プラグ接続、ねじ接続、ラッチ接続、スナップアクション接続（クリップ配置など）など
２０  ハウジング、インサートハウジング、コンタクトモジュールハウジング、ディスク状（ベースプレート２００のみ）、ケージ状、タブ状、容器状など
１１０  コンタクトデバイス１０の接触区間、（第１の）高電力電気コンタクト装置、コンタクト形成デバイス、たとえばソケットコンタクト、ピンコンタクト、タブコンタクトなど
１１１  コンタクト装置取付け区間、コンタクトばねリング／コンタクトピン、めねじ（ねじ付き凹部）／おねじ（ねじ付きピン）
１１２  場合により封止台座として構成されるハウジング取付け区間
１１３  接触領域、ソケット領域、ピン領域、タブ領域など。
１１４  カラー
１１５  中心合わせ凹部
１２０  コンタクトデバイス１０の接続区間、（第２の）高電力電気コンタクト装置、接続装置、たとえば圧着接続、（締固め）溶接接続、はんだ接続、接着接続、プラグ接続、ねじ接続など
１２１  コンタクト装置取付け区間、コンタクトピン／コンタクトばねリング、おねじ（ねじ付きピン）／めねじ（ねじ付き凹部）
１２２  場合により封止台座として構成されるハウジング取付け区間、
１２３  接続領域、圧着領域、（締固め）溶接領域、はんだ領域、接着領域、プラグ領域、ねじ領域など
１２４  カラー
１２５  コンタクト装置１２５を固定する固定領域
１３０  コンタクトデバイスシール
２００  ベースプレート、ディスク、板
２０１  第１のコンタクト装置１１０（コンタクト装置取付け区間１１１）を保持する接触区間レセプタクル
２１０  保護スリーブ、保護ノズル
２１１  第１のコンタクト装置１１０または実際の接触領域１１３を受け取る接触区間レセプタクル
２２０  側壁（任意選択）
３０１  第２のコンタクト装置１２０（コンタクト装置取付け区間１２１）を、場合によりコンタクトデバイスシール１３０によって保持する接触区間レセプタクル
３２０  シュラウド
Ａｘ  コネクタ１、コンタクトデバイス１０、コンタクト装置１１０、１２０の軸方向、長手方向軸、回転軸
Ｒａ  コネクタ１、コンタクトデバイス１０、コンタクト装置１１０、１２０の径方向
Ｓ  コネクタ１、コンタクトデバイス１０、コンタクト装置１１０、１２０のプラグイン方向。軸方向Ａｘでもある。
Ｕｍ  コネクタ１、コンタクトデバイス１０、コンタクト装置１１０、１２０の円周方向
【図１】
2017174815.tif 000003
【図２】
2017174815.tif 000004
【図３】
2017174815.tif 000005
【図４】
2017174815.tif 000006
【図５】
2017174815.tif 000007
【外国語明細書】
2017174815000001.pdf